(57)【要約】【課題】  雨天において、電力用遮断器のブッシングを遮断器本体に容易に取付けることができるブッシング設置装置及びその設置方法を提供すること。【解決手段】  エアーが内部に出入り自在に封入されるエアービーム１と、エアービーム１の内側に配置される天幕２とにより天蓋３を構成する。それと共に、天蓋３の一部にブッシング１４を挿脱自在に挿通するブッシング挿通口４を設ける。そして、その天蓋３によって遮断器本体１３の上方を覆う。【選択図】図５
2019004637.tif 000002
【特許請求の範囲】
【請求項１】
環状に形成されエアーが出入自在に封入されるエアービームおよび前記エアービームの内側に配置される天幕により形成された天蓋と、前記天幕の一部に設けられブッシングを挿脱自在に挿通するブッシング挿通口とを具備し、前記天蓋が遮断器本体の上方を覆うように配置されることを特徴とする電力用遮断器のブッシング設置装置。
【請求項２】
前記天幕のブッシング挿通口の口縁に配置され、または前記天幕に貫通された吊りワイヤ挿通部を有することを特徴とする請求項１に記載の電力用遮断器のブッシング設置装置。
【請求項３】
前記ブッシング挿通口の口縁から前記エアービームの外縁部方向に形成され、前記天幕および前記エアービームを展開可能または複数個に分離可能にする分離部を有することを特徴とする請求項１または２に記載の電力用遮断器のブッシング設置装置。
【請求項４】
前記エアービームに、環状のほぼ全周に亘って防塵カーテンを着脱自在に設けることを特徴とする請求項１〜請求項３のいずれか一項に記載の電力用遮断器のブッシング設置装置。
【請求項５】
前記防塵カーテンは、内側防塵カーテンと外側防塵カーテンとを二重に設けることを特徴とする請求項４に記載の電力用遮断器のブッシング設置装置。
【請求項６】
前記エアービームの上面側に、前記天幕が着脱自在に配置され、下面側に前記防塵カーテンが着脱自在に取付けられることを特徴とする請求項４または５に記載の電力用遮断器のブッシング設置装置。
【請求項７】
ブッシング設置方法において、
遮断器本体の外周を取り囲む足場上に、組立ハウスを設置して前記遮断器本体の上方および側方を雨囲いおよび防塵する工程と、その後、環状に形成されエアーが出入自在に封入されるエアービームおよび前記エアービームの内側に配置されるとともにブッシングを挿脱自在に挿通するブッシング挿通口を有する天幕により形成された天蓋を、前記ブッシング挿通口に前記ブッシングを挿通した状態で前記組立ハウスに被せる工程と、次いで、前記組立ハウスを折り畳んでまたは、分解して前記天蓋の外に運び出す工程と、次いで前記天蓋に挿通された前記ブッシングの端部を前記遮断器本体のフランジに接続する工程と、を具備することを特徴とするブッシング設置方法。
【請求項８】
前記組立ハウスは、立設した複数の門型のフレームが並列され各フレームの間隔を伸縮できる蛇腹型の骨組と、前記骨組の外周を被覆する防塵シートとからなり、
前記組立ハウスの使用後、各フレームを並列方向に折り畳んでから、前記組立ハウスを前記天蓋の外側に取り外すことを特徴とする請求項７に記載のブッシング設置方法。
【請求項９】
前記天蓋は、前記エアービームに環状のほぼ全周に亘って防塵カーテンを有しており、前記エアービ−ム、前記天幕および前記防塵カーテンを前記組立ハウスに被せることを特徴とする請求項７または８に記載のブッシング設置方法。
【請求項１０】
前記防塵カーテンは、内側防塵カーテンと外側防塵カーテンとが二重に設けられ、前記内側防塵カーテンの内側で、前記組立ハウスを折り畳むまたは分解する工程と、次いで前記折り畳みまたは分解された組立ハウスを前記二重の防塵カーテンの間に移動する工程と、内側の防塵カーテンを閉じた状態で、外側の防塵カーテンを開いて前記折り畳みまたは分解された組立ハウスを前記外側防塵カーテンの外に取り出す工程と、を具備することを特徴とする請求項９に記載のブッシング設置方法。
【請求項１１】
前記ブッシングを横向きにし、前記遮断器本体のフランジに接続するブッシングの端部を第２の組立ハウス内に保管する工程と、前記ブッシングの碍子に前記天幕のブッシング挿通口またはその近傍を巻き付ける工程と、前記ブッシングおよび前記天蓋を吊り上げ装置により吊り上げて前記組立ハウスの上に移動する工程と、を具備することを特徴とする請求項７〜請求項１０のいずれか一項に記載のブッシング設置方法。
【発明の詳細な説明】
【技術分野】
【０００１】
本発明は、変電所等の電力用遮断器のブッシング設置装置と、それを設置する方法に関する。
【背景技術】
【０００２】
電力用遮断器は、その本体の端部に一対のブッシングが接続される。その場合、遮断器本体及び遮断器本体のフランジに接続するブッシングの端部に水や塵埃が浸入しないように対処する必要がある。野外に設置される電力用遮断器のブッシング設置作業は、重機を用いてブッシングの吊り下げを行いつつ、その端部を電力用遮断器本体のフランジに接続するものである。
従来、雨天等で湿度が所定以上に高い場合や、塵埃が進入するおそれのある場合には、その作業を行うことができなかった（例えば特許文献１）。
【先行技術文献】
【特許文献】
【０００３】
【特許文献１】特開平８−２５１７３６号公報
【発明の概要】
【発明が解決しようとする課題】
【０００４】
雨天等の場合に、ブッシングの設置作業ができないと、それに関連する発電所の定期点検の期間中にブッシングの設置作業ができないことになる。すると、発電所の停電期間が長くなり、送電ができなくなる。
そこで、本発明は雨天等でも電力用遮断器のブッシングの設置が可能な設置装置及びその設置方法を提供することを課題とする。
【課題を解決するための手段】
【０００５】
請求項１に記載の発明は、環状に形成されエアーが出入自在に封入されるエアービームおよび前記エアービームの内側に配置される天幕により形成された天蓋と、前記天幕の一部に設けられブッシングを挿脱自在に挿通するブッシング挿通口とを具備し、前記天蓋が遮断器本体の上方を覆うように配置されることを特徴とする電力用遮断器のブッシング設置装置である。
【０００６】
請求項２に記載の発明は、前記天幕のブッシング挿通口の口縁に配置され、または前記天幕に貫通された吊りワイヤ挿通部を有することを特徴とする請求項１に記載の電力用遮断器のブッシング設置装置である。
【０００７】
請求項３に記載の発明は、前記ブッシング挿通口の口縁から前記エアービームの外縁部方向に形成され、前記天幕および前記エアービームを展開可能または複数個に分離可能にする分離部を有することを特徴とする請求項１または２に記載の電力用遮断器のブッシング設置装置である。
【０００８】
請求項４に記載の発明は、前記エアービームに、環状のほぼ全周に亘って防塵カーテンが着脱自在に設けられていることを特徴とする請求項１〜請求項３のいずれか一項に記載の電力用遮断器のブッシング設置装置である。
【０００９】
請求項５に記載の発明は、前記防塵カーテンは、内側防塵カーテンと外側防塵カーテンとが二重に設けられていることを特徴とする請求項４に記載の電力用遮断器のブッシング設置装置である。
【００１０】
請求項６に記載の発明は、前記エアービームの上面側に、前記天幕が着脱自在に配置され、下面側に前記防塵カーテンが着脱自在に取付けられることを特徴とする請求項４または５に記載の電力用遮断器のブッシング設置装置である。
【００１１】
請求項７に記載の発明は、ブッシング設置方法において、遮断器本体の外周を取り囲む足場上に、組立ハウスを設置して前記遮断器本体の上方および側方を雨囲いおよび防塵する工程と、その後、環状に形成されエアーが出入自在に封入されるエアービームおよび前記エアービームの内側に配置されるとともにブッシングを挿脱自在に挿通するブッシング挿通口を有する天幕により形成された天蓋を、前記ブッシング挿通口に前記ブッシングを挿通した状態で前記組立ハウスに被せる工程と、次いで、前記組立ハウスを折り畳んでまたは、分解して前記天蓋の外に運び出す工程と、次いで前記天蓋に挿通された前記ブッシングの端部を前記遮断器本体のフランジに接続する工程と、を具備することを特徴とするブッシング設置方法である。
【００１２】
請求項８に記載の発明は、前記組立ハウスは、立設した複数の門型のフレームが並列され各フレームの間隔を伸縮できる蛇腹型の骨組と、前記骨組の外周を被覆する防塵シートとからなり、
前記組立ハウスの使用後、各フレームを並列方向に折り畳んでから、前記組立ハウスを前記天蓋の外側に取り外すことを特徴とする請求項７に記載のブッシング設置方法である。
【００１３】
請求項９に記載の発明は、
前記天蓋は、前記エアービームに環状のほぼ全周に亘って防塵カーテンを有しており、前記エアービ−ム、前記天幕および前記防塵カーテンを前記組立ハウスに被せることを特徴とする請求項７または８に記載のブッシング設置方法である。
【００１４】
請求項１０に記載の発明は、前記防塵カーテンは、内側防塵カーテンと外側防塵カーテンとが二重に設けられ、前記内側防塵カーテンの内側で、前記組立ハウスを折り畳むまたは分解する工程と、次いで前記折り畳みまたは分解された組立ハウスを前記二重の防塵カーテンの間に移動する工程と、内側の防塵カーテンを閉じた状態で、外側の防塵カーテンを開いて前記折り畳みまたは分解された組立ハウスを前記外側防塵カーテンの外に取り出す工程と、を具備することを特徴とする請求項９に記載のブッシング設置方法である。
【００１５】
請求項１１に記載の発明は、前記ブッシングを横向きにし、前記遮断器本体のフランジに接続するブッシングの端部を第２の組立ハウス内に保管する工程と、前記ブッシングの碍子に前記天幕のブッシング挿通口またはその近傍を巻き付ける工程と、前記ブッシングおよび前記天蓋を吊り上げ装置により吊り上げて前記組立ハウスの上に移動する工程と、を具備することを特徴とする請求項７〜請求項１０のいずれか一項に記載のブッシング設置方法である。
【発明の効果】
【００１６】
請求項１に記載の発明によれば、エアーが封入されるエアービームと天幕とにより天蓋を形成し、その天幕にブッシング挿通口を形成したので、そこにブッシングを挿通して天蓋を広げることにより、雨天等でも遮断器本体の上方を雨囲いして、ブッシング設置工事を行うことができる。そのブッシング挿通口は柔軟な天幕に形成されているので、遮断器本体のフランジの取付角度に合わせて、ブッシングを迅速に設置できる。
【００１７】
請求項２の発明によれば、ワイヤ挿通部に吊りワイヤを挿通でき、ブッシングの吊り上げを容易に且つ、安定して行うことができる。
【００１８】
請求項３に記載の発明によれば、天蓋を展開可能または複数個に分離することができ、天蓋をブッシングにさらに容易に着脱することできる。
【００１９】
請求項４に記載の発明によれば、環状のほぼ全周に亘って、防塵カーテンを着脱自在に設けることにより、遮断器の上方および側方を確実に雨囲いおよび防塵することができる。
【００２０】
請求項５に記載の発明によれば、前記防塵カーテンを、内側防塵カーテンと外側防塵カーテンで二重に設けることにより、防水および防塵をより確実に行うことができる。
即ち、一方のカーテンを閉じた状態で、内部作業ができる。また、内部の機器や工具等を外部に取り出すときは、内側のカーテンを閉じて、外側のカーテンを開放することにより、取出し作業が可能となる。
【００２１】
請求項６に記載の発明によれば、エアービームの上面側に天幕が着脱自在に配置され、下面側に防塵カーテンが着脱自在に取付けられることにより、遮断器本体の上部および下部を効果的に保護できる。即ち、遮断器本体の上方および側方が簡便に雨囲いおよび防塵され、より安全にブッシング設置作業を行える。
【００２２】
請求項７に記載の発明によれば、足場上に組立ハウスを設置し、その上方および側方を天蓋で雨囲いおよび防塵する工程と、次いで、組立ハウスを運び出す工程と、天蓋に挿通されたブッシングの端部を遮断器本体のフランジに接続する工程と、により雨天等でもブッシングの取付作業を迅速かつ安全に行うことができる。
【００２３】
請求項８に記載の発明によれば、組立ハウスが門型のフレームの骨組と、防塵シートとからなり、組立ハウスの使用後、各フレームを並列方向に折り畳んでから、組立ハウスを取り外すものである。そのため、ブッシングの接続作業の準備を迅速に行うことができる。
【００２４】
請求項９に記載の発明は、その天蓋が、環状のエアービームに防塵カーテンを有しており、組立ハウスに被せることができ、遮断器本体の上方および側方を確実に雨囲いおよび防塵することができる。
【００２５】
請求項１０に記載の発明は、組立ハウスの外側に内側防塵カーテンと外側防塵カーテンとが二重に設けられ、内側防塵カーテンの内側で、組立ハウスを折り畳み、その組立てハウスを二重の防塵カーテン内を順次移動して、外に取り出すものである。そのため、ブッシングの外周部および遮断器本体の外周部を防水および防塵状態として、その取付を安全に行える。
【００２６】
請求項１１に記載の発明は、ブッシングを横向きにし、遮断器本体のフランジに接続するブッシングの端部を第２の組立ハウス内に保管する工程と、その碍子に天幕のブッシング挿通孔またはその近傍を巻き付ける工程と、ブッシングおよび天蓋を吊り上げて組立ハウスの上に移動する工程と、を具備する。それらにより、ブッシングは、防水および防塵状態で保護される。
【図面の簡単な説明】
【００２７】
【図１】本発明のブッシング設置装置の一実施形態を示す分解斜視図である。
【図２】同組立状態を示す斜視図。
【図３】図２のＡ−Ａ矢視図、Ｂ部拡大図、Ｃ部拡大図、Ｄ−Ｄ矢視説明図、Ｅ部拡大図。
【図４】ブッシングの保管状態から、吊り上げるまでの説明図。
【図５】本発明におけるブッシングの取付に用いる一実施形態の組立ハウスの設置説明図。
【図６】同ブッシングの設置手順を組立ハウスの正面から示す説明図（Ａ）〜（Ｄ），および側面から示す（ＤのＥ−Ｅ方向）説明図（Ｅ）〜（Ｇ）。
【図７】本発明の第２実施形態の組立ハウスを用いたブッシング設置方法の説明図。
【図８】同組立ハウスの骨組部の分解斜視図。
【発明を実施するための形態】
【００２８】
以下に、図面に基づいて本発明の各実施の形態について説明する。
まず、ブッシング設置装置の構成を述べる。
図１は、本発明のブッシング設置装置の一実施形態を示す分解斜視図であり、図２はその組立状態を示す斜視図であり、図３は図２のＡ−Ａ矢視図、Ｂ部拡大図、Ｃ部拡大図、Ｄ−Ｄ矢視説明図、Ｅ部拡大図である。
図１の分解斜視図に示す如く、天蓋３は方形の環状に形成されるエアービーム１と、その上面に取付けられる天幕２とからなる。そして、天幕２の中央部にはブッシング１４を挿脱自在に挿通するブッシング挿通口４が開口する。また、そのブッシング挿通口４を横断するように、天幕２とエアービーム１とが分離部６で二分割されている。
【００２９】
さらに、天幕２の各部には一対ずつの軟質パイプ９がブッシング挿通口４に近接して挿通されている。また、分離部６には接続用ファスナ２４が取付けられている。また、二分割されたエアービーム１の両端部には、それぞれ接続用係止布７（商品名「マジックテープ」（登録商標））が設けられるとともに、その端部外周には複数の係止バンド８が図３（Ｂ）の如く配置されている。そして、分割されたエアービーム１の端部どうしは、接続用係止布７と係止バンド８とにより着脱自在に接続される。また、エアービーム１の各分割部には、図３（Ａ）に示す如く、その内面側と外面側とに、それぞれ防塵カーテン接続部２３が垂れ下がり、そこに分割された内側防塵カーテン１１ａ、外側防塵カーテン１１ｂが接続される。内側防塵カーテン１１ａ、外側防塵カーテン１１ｂは、平面コ字状に形成される。
【００３０】
さらに、その左右の接続部には、図３（Ｃ）に示す如く、接続用ファスナ２４が設けられ、その外側には、ファスナカバー２５が被着され、接続用ファスナ２４の外側を、接続用係止布７ａを介して被蔽する。この例で、接続用ファスナ２４は各カーテンにつき２箇所のみ代表して記載しているが、後述するように必要に応じて、それ以外の部分にも接続用ファスナおよびファスナカバーが取付けられている。
【００３１】
次に、天蓋３の天幕２に突設される軟質パイプ９は、一例として比較的硬質の発砲スチロールや、軟質樹脂、ゴム管等を用いることができる。それらは中空に形成されて、中心にワイヤ挿通部５を形成する。そして、そこに吊りワイヤ１０が図３（Ｅ）の如く、挿脱自在に挿通される。
しかし、ワイヤ挿通部５は軟質パイプ９によって形成されるのではなく、単なる穴によって形成される等、他の手段によって形成してもよい、いずれの場合も容易に水が通過しないようにすることが好ましい。
【００３２】
また、ワイヤ挿通部５は、天幕２のブッシング挿通口４に近接した位置に形成される他、ブッシング挿通口４から離間した位置、ブッシング挿通口４の口縁等に形成してもよい。
また、天幕２のブッシング挿通口４側の端部外周には図３（Ｄ）の如く、防水部材１０ｂが挿通され、ブッシング１４の碍子２６の外周にクッション２９を介して天幕２のブッシング挿通口４またはその近傍をブッシング１４の周溝部に喰い込むように巻きつけ、防水保護する。
【００３３】
次に、ブッシング１４の保管状態から、吊り上げるまでの手順を述べる。
図４の各図はその取付前のブッシング１４の保管状態から、吊り上げるまでの説明図である。
同図（Ａ）はブッシング１４の保管状態を示し（Ｂ）はブッシング１４の端部に天蓋３の端部を巻き付けた説明図である。さらに、（Ｃ）はブッシング１４を起こして吊り上げる説明図。（Ｄ）はエアービーム１にエアーを封入して天蓋３を拡開した図である。さらに、（Ｅ）は天蓋３の接続部２３に内側防塵カーテン１１ａ、外側防塵カーテン１１ｂを取付けた図である。
【００３４】
先ず、図４（Ａ）に示す如く、第２の組立ハウス２１を組立てる。第２の組立ハウス２１の外周には、防塵シート１６が被覆される。次にブッシング１４は、スペーサ３１上に横架されて少なくともブッシング１４の端部が第２の組立ハウス２１に保管される。次いで、ブッシング１４の端部に立設用ガイド２８を配置する。そして、天蓋３の天幕２の先端部を防水部材１０ｂを介してブッシング１４の端部に締結し、ブッシング１４の端部を防水及び防塵する。次いで、ブッシング１４を吊りワイヤ１０、上部保護材２７を介して吊り上げる。この時、立設用ガイド２８を基準にブッシング１４が起立される。次いで、立設用ガイド２８が取り除かれる。
【００３５】
次に、図４（Ｄ）に示す如く、天蓋３のエアービーム１にエアーが封入されて、天蓋３が拡開される。さらに、天蓋３の防塵カーテン接続部２３に図４（Ｅ）の如く、内側防塵カーテン１１ａと外側防塵カーテン１１ｂとが吊り下げられる。
なお、そのブッシング１４の上端部外周には、上部保護材２７を巻きつけ、その上部保護材２７の内部に、上下方向へ吊りワイヤ１０を貫通させる。吊りワイヤ１０の上端は、重機の図示しないアーム端に接続され、ワイヤ１０の下端はワイヤ挿通部５を通してブッシング１４の下端の係止環３２に係止される。なお、図４（Ｃ）において、吊りワイヤ１０は、上部保護材２７の外周に複数本取付けられる。
なお、防塵カーテン１１は、その防塵カーテン接続部２３に同図（Ｅ）の如く、内側防塵カーテン１１ａ、外側防塵カーテン１１ｂを係止する。これら内側防塵カーテン１１ａ、外側防塵カーテン１１ｂの上端部にはそれぞれ図示しないファスナが取付けられ、それを介して天蓋３と内側防塵カーテン１１ａ、外側防塵カーテン１１ｂとが接続される。
【００３６】
次に、ブッシング１４を遮断器本体１３に設置する手順を順に述べる。
先ず、図５に示す如く、遮断器本体１３（同図では図示せず、図６に示す）を取り囲んで、足場材２２を立設し、その上端に複数の環状の足場平面２２ａを図５に示す如く、形成する。その足場平面２２ａには、図示しない滑り止め用、発塵防止用、塵埃浸入防止用ゴムシートを被着し、その足場平面２２ａ上に組立ハウス１２を組立てる。この組立ハウス１２は、門型の同一形状の複数のフレーム１５ａが並列されるとともに、各フレーム１５ａ間が伸縮可能に連結されている。各フレーム１５ａの下端にはキャスタ１７が設けられ、その上端外周に天井防塵シート１６ａが被覆されるとともに、その側部外周にも防塵シート１６ｂが被覆される。防塵シート１６ａ，１６ｂには、適宜位置に接続用ファスナ２４が開閉自在に配置される。さらに足場材２２の外周には、図示しない防塵シートが被覆される。
【００３７】
そこで、先ず、図６（Ａ）に示す如く、遮断器本体１３の上端に突設されたフランジ３０の図示しない端蓋が取り除かれ、フランジ３０の表面および内部が清掃される。この時、組立ハウス１２の存在により、雨天等であっても、フランジ３０の内部に雨水や塵埃が浸入することが防止される。
【００３８】
次いで、吊り上げられたブッシング１４を図６（Ａ）に示す如く、組立ハウス１２の上方に位置させる。この時、ブッシング１４の下部には天蓋３及び防塵カーテン１１が取付けられている。そして、内側防塵カーテン１１ａ、外側防塵カーテン１１ｂを有する天蓋３を組立ハウス１２の上方から被せる（図６（Ｂ））。それにより組立ハウス１２の上方及び側方は、天蓋３及び内側防塵カーテン１１ａ、外側防塵カーテン１１ｂにより防水及び防塵される。
【００３９】
なお、上記工程において、吊り上げられたブッシング１４を組立ハウス１２の上方にまで移動させる過程においては、エアービーム１のエアーを抜いた状態にしておき、組立ハウス１２の上方でエアーを封入するようにしてもよい。この場合、天蓋３、あるいは天蓋３および防塵カーテン１１が風に煽られることの悪影響を低減できる。
また、この場合、組立ハウス１２の上方でエアービーム１にエアーを封入する際、エアービーム１および／または防塵カーテン１１を下方から引っ張ったり、重りを付したりすることにより、上記風の影響を低減できる。
また、足場平面２２ａへの設置後も、天蓋３および／または防塵カーテン１１に下方への引っ張り力、重り等を加えて上記風の影響を低減できる。
【００４０】
次に、組立ハウス１２をフレーム１５ａの並列方向に縮小して折畳む（図６（Ｃ））。次いで、折畳まれた組立ハウス１２を内側防塵カーテン１１ａと外側防塵カーテン１１ｂとの間に移動する。次いで、図６（Ｄ）の如く、位置された組立ハウス１２は、その内側の内側防塵カーテン１１ａが閉じられる。次いで、その組立ハウス１２を図６（Ｆ）及び（Ｇ）の如く、側方に移動する。これにより、フランジ３０の上方に空間が生じる。そこで、ブッシング１４を下方に移動し、そのブッシング１４の端部を図６（Ｇ）の如く、遮断器本体１３のフランジ３０に接続する。この実施形態では、遮断器本体１３は、図６（Ｇ）の奥行き方向に三相分並列されており、同図は遮断器本体の一相分のみ示し、各相にブッシング１４が二つずつ、上向きのハの字状に接続される。
【００４１】
次に、図７は及び図８は、本発明の第２実施形態の組立ハウス１２ａを用いた、設置方法の説明図である。この形態の組立ハウス１２ａは、フレームが平面コ字状に立設された一対の骨組部１８と、その骨組部１８間を連結する架橋部１９と各骨組みの上部外周に天井防塵シート１６ａが被覆されるとともに、その側部外周にも側部防塵シート１６ｂ（その一部のみ示す）が被覆される。防塵シート１６ａ，１６ｂには、適宜位置に接続用ファスナ２４が開閉自在に配置される。
【００４２】
この組立ハウス１２ａも、図５に示す足場平面２２ａ上に組立てられる。そして、フランジ３０の表面およびその内部の清掃が行われる。清掃後には、組立ハウス１２ａに、図７に示す如く、天蓋３と防塵カーテン１１とが被せられる。組立ハウス１２ａの天井防塵シート１６ａが取り除かれる。そして、ブッシング挿通口４に挿通されたブッシング１４の先端を組立ハウス１２の上端開口から下方に移動し、そのブッシング１４の端部を遮断器本体１３のフランジ３０に接続する。その後、その組立ハウス１２ａの架橋部１９が取外され、分解した組立ハウス１２ａを天蓋３の側方に移動する。
【００４３】
（他の実施形態）
図５の形態では、天蓋３はエアービーム１の上面側に天幕２を固定している。
それに替えて、エアービーム１と防塵カーテン１１とを予めまたは、任意に接続し、そのエアービーム１の上部にファスナを介して天幕２を取付けてもよい。さらには、一対のエアービーム１を環状に形成し、それらに天幕２及び防塵カーテン１１を取付けることも可能である。
【００４４】
また、エアービーム１は４角形の他、円形、多角形等各種の形状を許容する。そして、環状とは連続した環であってもよいし、一部が不連続な環であってもよい。
また、防塵カーテン１１、１１ａ、１１ｂは必須ではなく、天候状態やエアービームと遮断器本体との大きさの関係等に応じて選択的に使用してもよい。
以上、本発明の実施形態について説明したが、これらの実施形態は例として提示したものであり、発明の範囲を限定することは意図していない。これらの新規な実施形態は、その他の様々な形態で実施し得るものであり、発明の要旨を逸脱しない範囲で、種々の省略、置き換え、変更を行なうことができる。これらの実施形態やその変形は、発明の範囲や要旨に含まれるとともに、特許請求の範囲に記載された発明とその均等の範囲に含まれる。
【符号の説明】
【００４５】
１  エアービーム
２  天幕
３  天蓋
４  ブッシング挿通口
５  ワイヤ挿通部
６  分離部
７、７ａ  接続用係止布
８  係止バンド
９  軟質パイプ
１０  吊りワイヤ
１０ｂ  防水部材
１１  防塵カーテン
１１ａ  内側防塵カーテン
１１ｂ  外側防塵カーテン
１２、１２ａ  組立ハウス
１３  遮断器本体
１４  ブッシング
１５ａ  フレーム
１６  防塵シート
１６ａ  天井防塵シート
１６ｂ  側部防塵シート
１７  キャスタ
１８  骨組部
１９  架橋部
２１  第２の組立ハウス
２２  足場材
２２ａ  足場平面
２３  防塵カーテン接続部
２４  接続用ファスナ
２５  ファスナカバー
２６  碍子
２７  上部保護材
２８  立設用ガイド
２９  クッション
３０  フランジ
３１  スペーサ
３２  係止環
【図１】
2019004637.tif 000003
【図２】
2019004637.tif 000004
【図３】
2019004637.tif 000005
【図４】
2019004637.tif 000006
【図５】
2019004637.tif 000007
【図６】
2019004637.tif 000008
【図７】
2019004637.tif 000009
【図８】
2019004637.tif 000010